(57)【要約】【課題】ステータベースに付着した塵埃が筐体の内部に進入することを防止する。【解決手段】スピンドルモータ２０のステータベース２１を筐体１１の底板１１ａの裏面に取り付け、且つ、ステータベース２１上に回転自在に支持されたハブ２５にディスク３１を搭載して、このディスク３１を搭載して密閉した筐体１１内に回転自在に収納した際に、ハブ２５の外周部位に複数段の階段状円筒部２５ａ１〜２５ａ４を形成し、且つ、複数段の階段状円筒部のうちで最大外径の階段状円筒部２５ａ１を筐体１１の底板１１ａの裏面に形成した円形凹孔内１１ａ２に臨ませると共に、最大外径の階段状円筒部よりも小径に形成された階段状円筒部２５ａ２〜２５ａ４が、筐体１１の底板１１ａにおける円形凹孔１１ａ２の内部に穿設された最大外径の階段状円筒部よりも小径の貫通丸孔１１ａ３に挿通し、ディスク３１を、貫通丸孔に対してステータベース２１の反対側に搭載した。【選択図】図１
2009176369.tif 000002
【特許請求の範囲】
【請求項１】
ステータベースを有するステータと、前記ステータベースに対して回転自在に支持されたハブを有するロータと、を含んでなるスピンドルモータと、
前記スピンドルモータのステータベースが底板の裏面に取り付けられ、且つ、前記ハブに搭載されたディスクを密閉した内部空間内に回転自在に収納する筐体と、
を備えたディスク駆動装置において、
前記ハブの外周部位に複数段の階段状円筒部を形成し、且つ、前記複数段の階段状円筒部のうちで最大外径の階段状円筒部を前記筐体の底板の裏面に形成した円形凹孔内に臨ませると共に、前記最大外径の階段状円筒部よりも小径に形成された階段状円筒部が、前記筐体の底板における前記円形凹孔の内部に穿設された前記最大外径の階段状円筒部よりも小径の貫通丸孔に挿通し、前記ディスクを、前記貫通丸孔に対して前記ステータベースの反対側に搭載したことを特徴とするディスク駆動装置。
【発明の詳細な説明】
【技術分野】
【０００１】
本発明は、ステータとロータとを有するスピンドルモータのステータベースを筐体の底板の裏面に取り付け、且つ、ステータベース上に回転自在に支持されたハブにディスクを搭載して、このディスクを密閉した筐体内に回転自在に収納した際に、スピンドルモータのステータベースに付着した塵埃（パーティクル）が筐体の内部に進入することを確実に防止できるディスク駆動装置に関するものである。
【背景技術】
【０００２】
一般的に、小型軽量なディスク駆動装置は、密閉した筐体内に円盤状のハードディスクや光ディスクなどのディスクを回転自在に収納して、ハードディスクの場合には磁気ヘッドを用いる一方、光ディスクの場合には光ピックアップを用いて大容量の情報信号を螺旋状又は同心円状に形成したトラックに高密度に記録し、且つ、記録済みのトラックを再生する際に所望のトラックを高速にアクセスできることからパーソナルコンピュータ（パソコン）などに多用されている。
【０００３】
上記したように密閉した筐体内に円盤状のディスクを回転自在に収納する場合に、磁気ディスクを搭載した磁気ディスク駆動用モータを筐体の底板の裏面側から取り付ける構造形態を採用した磁気ディスク装置がある（例えば、特許文献１参照）。
【０００４】
また、ディスク状記録媒体を搭載したスピンドルモータを筐体内で底板上に取り付ける構造形態を採用した情報記録再生装置がある（例えば、特許文献２参照）。
【０００５】
【特許文献１】実開平６−８４５５５号公報
【特許文献２】特開２００３−７０２１７号公報。
【０００６】
図４は従来例１の磁気ディスク装置を示した縦断面図、
図５は従来例２の情報記録再生装置を示した縦断面図である。
【０００７】
まず、図４に示した従来例１の磁気ディスク装置１００は、上記した特許文献１（実開平６−８４５５５号公報）に開示されているものであり、ここでは特許文献１を参照して簡略に説明する。
【０００８】
図４に示した如く、従来例１の磁気ディスク装置１００では、磁気ディスク駆動用モータ１０１が固定側となるステータＳと、ステータＳ側に対して回転側となるロータＲとから構成されており、且つ、この磁気ディスク駆動用モータ１０１のステータベース１０２を略箱型形状で内部が気密室となった筐体１０３の一部を構成する底板１０３ａの裏面にＯリング１０４を介して取り付けると共に、磁気ディスク駆動用モータ１０１のロータＲ側を底板１０３ａの中心部位に穿設した貫通丸孔１０３ａ１内を通過させている。
【０００９】
そして、磁気ディスク駆動用モータ１０１のロータＲ側に磁気ディスク１０５が搭載されて、この磁気ディスク１０５の所望のトラックに磁気ヘッド１０６により情報の記録再生が行われている。
【００１０】
次に、図５に示した従来例２の情報記録再生装置２００は、上記した特許文献２（特開２００３−７０２１７号公報）に開示されているものであり、ここでは特許文献２を参照して簡略に説明する。
【００１１】
図５に示した如く、従来例２の情報記録再生装置２００では、ステータＳとロータＲとを有するスピンドルモータ２０１にディスク状記録媒体２０２が搭載されて、このディスク状記録媒体２０２の所望のトラックに磁気ヘッド２０３により情報の記録再生が可能な状態で、スピンドルモータ２０１を密閉した筐体２０４内で底板２０４ａ上に取り付けている。
【発明の開示】
【発明が解決しようとする課題】
【００１２】
ところで、特許文献１に記載された従来例１の磁気ディスク装置１００によれば、略箱型形状で内部が気密室となった筐体１０３内に磁気ディスク駆動用モータ１０１に搭載した磁気ディスク１０５が回転自在に収納されているので、筐体１０３の外部から塵埃（パーティクル）が進入することを防ぐことができるものの、磁気ディスク駆動用モータ１０１のステータベース１０２上に付着した塵埃（パーティクル）が底板１０３ａの中心部位に穿設した貫通丸孔１０３ａ１を通り抜けて筐体１０３内に進入した後に磁気ディスク１０５の表面に付着してしまうので高密度記録再生に対して問題となっていると共に、磁気ディスク１０５への記録密度が高くなるにしたがってアルミダイキャストにより形成したステータベース１０２の表面に付着する塵埃の数を削減するために、ステータベース１０２の表面に樹脂コーティングなどを施さなければならないので従来例１の磁気ディスク装置１００がコスト高になってしまうという別の問題も生じている。
【００１３】
一方、特許文献２に記載された従来例２の情報記録再生装置２００によれば、密閉した筐体２０４内にディスク状記録媒体２０２を搭載したスピンドルモータ２０１を一体に収納しているので、この従来例２でも筐体２０４の外部から塵埃（パーティクル）が進入することを防ぐことができるものの、スピンドルモータ２０１のステータＳ側に付着した塵埃（パーティクル）がディスク状記録媒体２０２の表面に付着してしまうので高密度記録再生に対して問題となっている。
【００１４】
そこで、ステータとロータとを有するスピンドルモータのステータベースを筐体の底板の裏面に取り付け、且つ、ステータベース上に回転自在に支持されたハブにディスクを搭載して、このディスクを密閉した筐体内に回転自在に収納した際に、スピンドルモータのステータベースに付着した塵埃（パーティクル）が筐体の内部に進入することを確実に防止できるディスク駆動装置が望まれている。
【課題を解決するための手段】
【００１５】
本発明は上記課題に鑑みてなされたものであり、ステータベースを有するステータと、前記ステータベースに対して回転自在に支持されたハブを有するロータと、を含んでなるスピンドルモータと、
前記スピンドルモータのステータベースが底板の裏面に取り付けられ、且つ、前記ハブに搭載されたディスクを密閉した内部空間内に回転自在に収納する筐体と、
を備えたディスク駆動装置において、
前記ハブの外周部位に複数段の階段状円筒部を形成し、且つ、前記複数段の階段状円筒部のうちで最大外径の階段状円筒部を前記筐体の底板の裏面に形成した円形凹孔内に臨ませると共に、前記最大外径の階段状円筒部よりも小径に形成された階段状円筒部が、前記筐体の底板における前記円形凹孔の内部に穿設された前記最大外径の階段状円筒部よりも小径の貫通丸孔に挿通し、前記ディスクを、前記貫通丸孔に対して前記ステータベースの反対側に搭載したことを特徴とするディスク駆動装置である。
【発明の効果】
【００１６】
上記した本発明に係るディスク駆動装置によると、ステータとロータとを有するスピンドルモータのステータベースを筐体の底板の裏面に取り付け、且つ、ステータベース上に回転自在に支持されたハブにディスクを搭載して、このディスクを密閉した筐体内に回転自在に収納した際に、ハブの外周部位に複数段の階段状円筒部を形成し、且つ、複数段の階段状円筒部のうちで最大外径の階段状円筒部を筐体の底板の裏面に形成した円形凹孔内に臨ませると共に、最大外径の階段状円筒部よりも小径に形成された階段状円筒部が、筐体の底板における円形凹孔の内部に穿設された最大外径の階段状円筒部よりも小径の貫通丸孔に挿通し、ディスクを、貫通丸孔に対してステータベースの反対側に搭載したために、この結果、筐体の内部空間が密閉された状態でディスクが回転自在に収納されているので、筐体の外部から塵埃（パーティクル）が筐体内に進入せず、更に、スピンドルモータのハブに形成した最大外径の階段状円筒部が筐体の底面の裏側に形成した円形凹孔に対して重なり合うので、スピンドルモータのステータベースに付着した塵埃（パーティクル）が筐体の底板に穿設した貫通丸孔内を通り抜けることなく筐体の内部に進入することを確実に防止できるので、ディスクに対して記録再生用ヘッドを用いて大容量の情報信号を螺旋状又は同心円状に形成したトラックに高密度に記録し、且つ、記録済みのトラックを再生する際にエラーの発生を抑えることができる。
【００１７】
更に、ハブに形成した最大外径の階段状円筒部が、筐体の底面の裏側に形成した円形凹孔に対して重なり合うので、ディスクを収納した筐体内にステータベースが露出していない。この結果、筐体内への塵埃（パーティクル）の影響を抑えるために、通常、スピンドルモータのステータベースに施される樹脂コーティングを施す必要がないために、本発明に係るディスク駆動装置を安価に提供することができる。
【発明を実施するための最良の形態】
【００１８】
以下に本発明に係るディスク駆動装置の一実施例について、図１〜図３を参照して詳細に説明する。
【実施例】
【００１９】
図１は本発明に係る実施例のディスク駆動装置を示した縦断面図である。
【００２０】
図１に示した如く、本発明に係る実施例のディスク駆動装置１０Ａでは、ステータＳとロータＲとを有するスピンドルモータ２０のステータベース２１を筐体１１の一部を構成する底板１１ａの裏面に取り付け、且つ、スピンドルモータ２０の軸２６に固着させたハブ２５に円盤状のディスク３１を搭載して、このディスク３１を密閉した筐体１１内に回転自在に収納した際に、とくに、筐体１１の底板１１ａの裏面に取り付けたスピンドルモータ２０のステータベース２１に付着した塵埃（パーティクル）が筐体１１の内部に進入することを確実に防止できることを特徴としている。
【００２１】
具体的に説明すると、まず、本発明に係る実施例のディスク駆動装置１０Ａの要部の一部となる筐体１１は、アルミダイキャスト材又は剛性を有する樹脂材などを用いて、底板１１ａと、側板１１ｂと、底板１１ａと対向して側板１１ｂ上に着脱自在に取り付けられる天板１１ｃとに囲まれて略箱形状に形成されており、且つ、スピンドルモータ２０のステータベース２１をネジ３０により筐体１１の底板１１ａの裏面に取り付けると共に、天板１１ｃをネジ１２により側板１１ｂ上に取り付けたときに、筐体１１の内部空間Ｋが密閉されて筐体１１の外部から塵埃（パーティクル）が入りこまないように構成されている。
【００２２】
この際、筐体１１の一部を構成する底板１１ａの裏面は、この中心部位にスピンドルモータ２０を取り付けるための第１円形凹孔１１ａ１が凹んで形成されていると共に、第１円形凹孔１１ａ１の内周側にこの第１円形凹孔１１ａ１よりも小径の第２円形凹孔１１ａ２が同心で形成され、更に、この第２円形凹孔１１ａ２の内部の内周側に第２円形凹孔１１ａ２よりも小径の貫通丸孔１１ａ３が同心で穿設されている。
【００２３】
次に、筐体１１の底板１１ａの裏面に取り付けられるスピンドルモータ２０は、固定側となるステータＳと、ステータＳ側に対して回転側となるロータＲとにより構成されている。
【００２４】
上記したスピンドルモータ２０において、固定側となるステータＳ側では、ステータベース２１が、表面に樹脂コーティングを施すことなく、アルミダイキャストにより下方に向かって凹カップ状に凹ませた凹カップ部２１ａと、凹カップ部２１ａよりも外側上方に連接した平坦な円形状鍔部２１ｂとで鍔付き凹カップ状に形成されていると共に、凹カップ部２１ａの中心部位に軸受けホルダ部２１ａ１が上方に向かって一体的に突出形成されており、且つ、この軸受けホルダ部２１ａ１内にロータＲ側の軸２６が回転自在に嵌合するための軸受け部材２２が一体的に嵌着されている。
【００２５】
また、ステータベース２１の軸受けホルダ部２１ａ１の外周部位に沿って磁性鋼板材を積層したステータコア２３が取り付けられ、且つ、このステータコア２３の円周に沿って複数のモータ駆動用コイル２４が巻回されている。
【００２６】
一方、回転側のロータＲ側では、本発明の要部の一部となるハブ２５の中心部位にステンレス製の軸２６が一体的に固着されて、この軸２６がステータＳ側の軸受け部材２２に嵌合してラジアル方向の荷重を受けていると共に、軸２６の下端にフランジ２７が取り付けられて、このフランジ２７がステータＳ側の軸受け部材２２とそこに固定されたスラストプレート３３により挟持されてスラスト方向の荷重を受け、ロータＲが回転自在に支持されている。
【００２７】
この際、上記したハブ２５は、アルミ材などを用いて外周部位に複数段（例えば４段）の階段状円筒部２５ａ１〜２５ａ４が下方から上方に向かって外径が順次小さくなるように形成されており、これに伴って最大外径を有する最下段（１段目）の階段状円筒部２５ａ１がステータベース２１に接近する側に位置し、且つ、最小外径を有する最上段（４段目）の階段状円筒部２５ａ４がステータベース２１から最も遠ざかる側に位置している。
【００２８】
また、ハブ２５の裏面側は、外周部位に形成した例えば４段の階段状円筒部２５ａ１〜２５ａ４に略沿うように例えば３段の階段状凹部２５ｂ１〜２５ｂ３が下方から上方に向かって内径が順次小さくなるように形成されており、これに伴って最大内径を有する最下段（１段目）の階段状凹部２５ｂ１内に磁性鋼板材を用いて円環状に形成した円環状ロータヨーク２８が固着され、且つ、この円環状ロータヨーク２８の内側にモータ駆動用円環状磁石２９がステータＳ側のステータコア２３に対してラジアル方向（径方向）に僅かな空隙を隔てて対向するように固着されていると共に、最小内径を有する最上段（３段目）の階段状凹部２５ｂ３内にステータＳ側の軸受け部材２２が臨んでいる。
【００２９】
ここで、上記のように構成したスピンドルモータ２０を筐体１１の底面１１ａの裏面側から取り付ける場合に、筐体１１の天板１１ｃを取り外した状態で筐体１１の底面１１ａの裏側に形成した第１円形凹孔１１ａ１内にスピンドルモータ２０のステータベース２１に形成した円形状唾部２１ｂを嵌め込んでネジ３０によりステータベース２１を筐体１１の底面１１ａの裏面に取り付けると共に、スピンドルモータ２０のハブ２５に形成した最大外径を有する最下段（１段目）の階段状円筒部２５ａ１を筐体１１の底面１１ａの裏面に最下段の階段状円筒部２５ａ１の最大外径よりも一回り大径に形成した第２円形凹孔１１ａ２内に臨ませ、更に、スピンドルモータ２０のハブ２５に形成した最下段の階段状円筒部２５ａ１以外の２段目〜４段目の階段状円筒部２５ａ２〜２５ａ４を筐体１１の底面１１ａ中で第２円形凹孔１１ａ２の内部の内周側に穿設され且つハブ２５の最下段の階段状円筒部２５ａ１の最大外径よりも小径に形成した貫通丸孔１１ａ３を挿通させた後に、筐体１１の底板１１ａに近い３段目の階段状円筒部２５ａ３上にディスク３１を搭載すると共に、このディスク３１に対して情報信号を記録再生するための磁気ヘッド又は光ピックアップなどの記録再生用ヘッド３２を取り付けて、筐体１１の上方から天板１１ｃを側板１１ｂ上にネジ１２を用いて取り付けて筺体１１内を密閉している。
【００３０】
上記した実施例では、ステータベース２１をネジ３０を用いて筐体１１の底板１１ａに固定したので、ネジ３０が筐体１１の外側になるために、ネジ頭から発生する塵埃（パーティクル）が筐体１１内に収納したディスク３１側に行かない。また、ネジ３０に対する雌ネジ下孔を止まり孔とすると、ネジ締めにより発生する塵埃（パーティクル）も、筐体１１内に収納したディスク３１側に行かない。
【００３１】
また、アルミダイキャストにより形成されたステータベース２１を切削加工する際、筐体１１の底板１１ａへの取り付けのインロー部、取り付け面、コア取り付け面、軸受スリーブ取り付け面が、１回のチャッキングで加工できるため、筐体１１に対するディスク３１の位置と傾き、及び、回転する軸２６に対するコアの芯ズレと傾きなどへの精度出しが高くなり、加工工数も低減できる。
【００３２】
更に、ハブ２５の外周部位に形成した最大外径の階段状円筒部２５ａ１とディスク３１との間に筐体１１の一部を介在させたので、最大外径の階段状円筒部２５ａ１と筐体１１の底板１１ａの裏面に形成した第２円形凹孔１１ａ２とがアキシャル方向に対向する部分に防塵のためのシールが形成され、このシールは、軸受け部材２２、ステータベース２１等の、ハブ２５を除くスピンドルモータ２０側から発生した塵埃（パーティクル）がそこを通過しようとする際、遠心力により、塵埃（パーティクル）をディスク３１の無い側に移動させる働きがあると共に、ハブ２５の抜け止め防止にもなる。
【００３３】
従って、本発明に係る実施例のディスク駆動装置１０Ａによれば、筐体１１の内部空間Ｋが密閉された状態でディスク３１が回転自在に収納されているので、筐体１１の外部から塵埃（パーティクル）が筐体１１内に進入せず、更に、スピンドルモータ２０のハブ２５に形成した最大外径の階段状円筒部２５ａ１が筐体１１の底面１１ａの裏側に形成した第２円形凹孔１１ａ２に対して重なり合うので、スピンドルモータ２０のステータベース２１に付着した塵埃（パーティクル）が筐体１１の底板１１ａに穿設した貫通丸孔１１ａ３内を通り抜けることなく筐体１１の内部に進入することを確実に防止できるので、ディスク３１に対して記録再生用ヘッド３２を用いて大容量の情報信号を螺旋状又は同心円状に形成したトラックに高密度に記録し、且つ、記録済みのトラックを再生する際にエラーの発生を抑えることができる。
【００３４】
更に、ハブ２５に形成した最大外径の階段状円筒部２５ａ１が、筐体１１の底面１１ａの裏側に形成した第２円形凹孔１１ａ２に対して重なり合うので、ディスク３１を収納した筐体１１内にステータベース２１が露出していない。この結果、筐体１１内への塵埃（パーティクル）の影響を抑えるために、通常、スピンドルモータ２０のステータベース２１に施される樹脂コーティングを施す必要がないために、本発明に係る実施例のディスク駆動装置１０Ａを安価に提供することができる。
【００３５】
ここで、本発明に係る実施例のディスク駆動装置１０Ａを一部変形させた変形例について図２及び図３を用いて簡略に説明する。
【００３６】
図２は本発明に係る実施例のディスク駆動装置を一部変形させた変形例１のディスク駆動装置を示した縦断面図、
図３は本発明に係る実施例のディスク駆動装置を一部変形させた変形例２のディスク駆動装置を示した縦断面図である。
【００３７】
まず、図２に示した如く、変形例１のディスク駆動装置１０Ｂでは、ハブ２５の外周部位に形成した複数段の階段状円筒部２５ａ１１〜２５ａ１５が５段に形成されている点が実施例に対して異なるだけである。
【００３８】
この際、５段の階段状円筒部２５ａ１１〜２５ａ１５は、下方から上方に向かって外径が順次小さくなるように形成されており、且つ、５段の階段状円筒部２５ａ１１〜２５ａ１５のうちで最下段の階段状円筒部２５ａ１１が最大外径を有している。
【００３９】
そして、５段の階段状円筒部２５ａ１１〜２５ａ１５のうちで最大外径を有する最下段の階段状円筒部２５ａ１１及び２段目の階段状円筒部２５ａ１２が筐体１１の底面１１ａの裏面に最大外径の階段状円筒部２５ａ１１よりも一回り大径に形成した第２円形凹孔１１ａ２内に臨んでおり、且つ、３段目〜５段目の階段状円筒部２５ａ１３〜２５ａ１５が筐体１１の底面１１ａ中で第２円形凹孔１１ａ２の内周側にハブ２５の最下段の階段状円筒部２５ａ１１の最大外形及び２段目の階段状円筒部２５ａ１２の外径よりも小径に形成した貫通丸孔１１ａ３を挿通した後に、筐体１１の底板１１ａに近い４段目の階段状円筒部２５ａ１４上にディスク３１が搭載されている。
【００４０】
次に、図３に示した如く、変形例２のディスク駆動装置１０Ｃでも、ハブ２５の外周部位に形成した複数段の階段状円筒部２５ａ２１〜２５ａ２５が５段に形成されている点が実施例に対して異なるだけである。
【００４１】
この際、５段の階段状円筒部２５ａ２１〜２５ａ２５は、下から２段目の階段状円筒部２５ａ２２が最大外径を有しており、且つ、最下段の階段状円筒部２５ａ２１は最大外径を有する２段目の階段状円筒部２５ａ２２より一回り小径に形成されていると共に、２段目〜５段目の階段状円筒部２５ａ２２〜２５ａ２５が下方から上方に向かって外径が順次小さくなるように形成されている。
【００４２】
そして、５段の階段状円筒部２５ａ２１〜２５ａ２５のうちで最下段の階段状円筒部２５ａ２１及び最大外径を有する２段段目の階段状円筒部２５ａ２２が筐体１１の底面１１ａの裏面に２段目の階段状円筒部２５ａ２２の最大外径よりも一回り大径に形成した第２円形凹孔１１ａ２内に臨んでおり、且つ、３段目〜５段目の階段状円筒部２５ａ２３〜２５ａ２５が筐体１１の底面１１ａ中で第２円形凹孔１１ａ２の内周側にハブ２５の２段目の階段状円筒部２５ａ２２の最大外径よりも小径に形成した貫通丸孔１１ａ３を挿通した後に、筐体１１の底板１１ａに近い４段目の階段状円筒部２５ａ１４上にディスク３１が搭載されている。
【００４３】
従って、変形例１のディスク駆動装置１０Ｂ及び変形例２のディスク駆動装置１０Ｃでも、先に説明した本発明に係る実施例のディスク駆動装置１０Ａと同様に、スピンドルモータ２０のハブ２５に形成した最大外径の階段状円筒部２５ａ１１又は２５ａ２２が筐体１１の底面１１ａの裏側に形成した第２円形凹孔１１ａ２に対して重なり合うので、スピンドルモータ２０のステータベース２１に付着した塵埃（パーティクル）が筐体１１の底板１１ａに穿設した貫通丸孔１１ａ３内を通り抜けることなく筐体１１の内部に進入することを確実に防止できる。
【００４４】
また、上記した実施例及び変形例１，２において、スピンドルモータ２０の軸２６は、ハブ２５と一体に回転する軸回転タイプのものについて説明したが、ここでの図示を省略するものの、ステータベース上に軸を固定してこの固定軸にハブを回転自在に支持させる軸固定タイプのものであってももちろんよい。
【図面の簡単な説明】
【００４５】
【図１】本発明に係る実施例のディスク駆動装置を示した縦断面図である。
【図２】本発明に係る実施例のディスク駆動装置を一部変形させた変形例１のディスク駆動装置を示した縦断面図である。
【図３】本発明に係る実施例のディスク駆動装置を一部変形させた変形例２のディスク駆動装置を示した縦断面図である。
【図４】従来例１の磁気ディスク装置を示した縦断面図である。
【図５】従来例２の情報記録再生装置を示した縦断面図である。
【符号の説明】
【００４６】
１０Ａ  実施例のディスク駆動装置、
１０Ｂ  変形例１のディスク駆動装置、
１０Ｃ  変形例２のディスク駆動装置、
１１  筐体、１１ａ  底板、１１ａ１  第１円形凹孔、１１ａ２  第２円形凹孔、
１１ａ３  貫通丸孔、１１ｂ  側板、１１ｃ  天板、１２  ネジ、
２０  スピンドルモータ、
２１  ステータベース、２１ａ  凹カップ部、２１ａ１  軸受けホルダ部、
２１ｂ  円形状鍔部、
２２  軸受け部材、２３  ステータコア、２４  複数のモータ駆動用コイル、
２５  ハブ、２５ａ１〜２５ａ４  ４段の階段状円筒部、
２５ａ１１〜２５ａ１５，２５ａ２１〜２５ａ２５  ５段の階段状円筒部、
２５ｂ１〜２５ｂ３  ３段の階段状凹部、２６  軸、２７  フランジ、
２８  円環状ロータヨーク、２９  モータ駆動用円環状磁石、３０  ネジ、
３１  ディスク、３２  記録再生用ヘッド、３３  スラストプレート、
Ｋ  内部空間、Ｒ  ロータ、Ｓ  ステータ。
【図１】
2009176369.tif 000003
【図２】
2009176369.tif 000004
【図３】
2009176369.tif 000005
【図４】
2009176369.tif 000006
【図５】
2009176369.tif 000007